(57)【要約】【課題】理容師の指間刈りのためにはさみと櫛を左右の手に頻繁に持ち替えたり片手で両者を頻繁に操作することを不要にする。【解決手段】一対のはさみ構成体１０、２０のうちの一方のはさみ構成体２０の刃渡り部２２の背部２３に櫛４０を設けて、右手の親指を指間刈り用髪切りばさみ１の環状部１１にいれ薬指を環状部２１にいれて指間刈り用髪切りばさみ１を持ったまま、一方のはさみ構成体２０の背部２３に設けられた櫛４０で髪の毛をすくい、この櫛４０ですくった髪の毛を反対の左手の人差し指と中指で櫛４０の下側で挟むように持ち、この髪の毛から櫛４０をはずし、交叉する刃渡り部１２、２２で人差し指と中指で挟み持った髪の毛をはさみで切る。【選択図】　　　　図１
2004073817.tif 000002
【特許請求の範囲】
【請求項１】
回動自在に連結された一対のはさみ構成体のうちの一方の前記はさみ構成体の刃渡り部の背部に、櫛が設けられたことを特徴とする指間刈り用髪切りばさみ。
【請求項２】
回動自在に連結された一対のはさみ構成体のうちの一方の前記はさみ構成体の刃渡り部の背部に、櫛着脱部が設けられたことを特徴とする指間刈り用髪切りばさみ。
【請求項３】
回動自在に連結された一対のはさみ構成体のうちの一方の前記はさみ構成体の刃渡り部の背部の櫛着脱部に着脱される櫛。
【発明の詳細な説明】
【０００１】
【発明の属する技術分野】
本発明は理容店などで頭の髪の毛を切るための指間刈り用のはさみ及び櫛に関するものである。
【０００２】
【従来の技術】
理容師などが髪の毛を切る技法の一つに指間刈りというものがある。この技法は職人の個人差はあるが、主に次の二通りに大別される。（以下右ききの場合で説明する。）
【０００３】
（イ）櫛とはさみを一緒に右手で持つ。即ち、はさみは連結軸で回動自在に連結された一対のはさみ構成体から成り、各はさみ構成体は一端側に指をいれる環状部を備えているが、親指を一方の環状部にいれ、薬指を他方の環状部にいれて、人差し指の腹で環状部と連結軸の中間部を外側から押さえてはさみを持ち、人差し指の背、中指の腹、薬指の背、子指の腹と交互に櫛を挟んで支持する。この状態で櫛で頭の髪の毛をすくい、この櫛ですくった髪の毛を反対の左手の人差し指と中指で櫛の下側で挟むように持ち、切るのに邪魔にならないように、右手で持っていた櫛を髪の毛を挟んで持っている左手の親指と人差し指の間に挟むように持ち替え、右手で持っているはさみで左手の人差し指と中指の間に挟んでいる髪の毛を切る。以下この手順を繰り返す。
【０００４】
（ロ）櫛とはさみを一緒に右手で持ち（持ち方は上記（イ）と同じ）、櫛で髪をすくい、反対の左手の人差し指と中指で櫛の下側で髪の毛を挟むように持つが、櫛を右手から左手に持ち替えず、切るのにじゃまにならないように右手の指先を器用に操作して櫛とはさみを交互に使い髪の毛を切る。以下この手順を繰り返す。
【０００５】
【発明が解決しようとする課題】
しかしながら、このように理容師の指間刈りの技法では、櫛を右手と左手で頻繁に持ち替えたり、あるいは右手の指先を器用に操作して櫛とはさみを交互に使ったりするため、櫛をしばしば床に落としやすく、床に落とすことは衛生的にも問題があり、また、床に落とした櫛はそのまま再使用がはばかれるため櫛を交換しなければならず、理容上の労力面でも問題があった。
本発明はこのような問題を解決した指間刈り用髪切りばさみ及び櫛を提供することを目的としている。
【０００６】
【課題を解決するための手段】
前記目的を達成するために、本発明の指間刈り用髪切りばさみでは、回動自在に連結された一対のはさみ構成体のうちの一方の前記はさみ構成体の刃渡り部の背部に、櫛が設けられている。
【０００７】
このため、右ききの場合で説明すると、右手ではさみを持ち、一方のはさみ構成体の背部に設けられた櫛で髪の毛をすくい、この櫛ですくった髪の毛を反対の左手の人差し指と中指で櫛の下側で挟むように持ち、この髪の毛から櫛をはずしてはさみで人差し指と中指で挟み持った髪の毛をはさみで切ればよい。従って、従来のように別体のはさみと櫛を右手で一緒に持ったり、櫛を右手と左手に頻繁に持ち替えたり、指先を器用に操作してはさみと櫛を交互に使ったりする必要がなくなるので、櫛を床に落としたり、櫛を交換したりする必要がなくなる。
なお、はさみと櫛とを別体とし、はさみの前記はさみ構成体の刃渡り部の背部に、櫛着脱部が設けて、別体の櫛を着脱できるようにしてもよい。
【０００８】
【発明の実施の形態】
以下、図面に基づいて本発明の実施の形態を説明する。
図１、図２は本発明の一実施形態を示している。
【０００９】
図１、図２に示す指間刈り用髪切りばさみ１は、帯板状の一対のはさみ構成体１０、２０を備えていて、帯板状のはさみ構成体１０、２０はその中間部で密着状に重ねた状態で連結軸３０によって互いに回動自在に連結されている。はさみ構成体１０、２０はそれぞれ連結軸３０の一方側の端部に指を通すための環状部１１、２１を備え、連結軸３０の他方側には、内側に髪の毛を剪断するための刃渡り部１２、２２が設けられている。
【００１０】
一対のはさみ構成体１０、２０のうちの一方の、例えばはさみ構成体２０の刃渡り部２２の背部２３には、背部２３の全長にわたって、あるいは全長ではなく一部に、図２に示すように一体的に櫛４０が刃渡り部２２と反対方向に向かって突設されている。
【００１１】
このため、右手の親指を指間刈り用髪切りばさみ１の環状部１１にいれ薬指を環状部２１にいれて指間刈り用髪切りばさみ１を持ったまま、一方のはさみ構成体２０の背部２３に設けられた櫛４０で髪の毛をすくい、この櫛４０ですくった髪の毛を反対の左手の人差し指と中指で櫛４０の下側で挟むように持ち、この髪の毛から櫛４０をはずし、交叉する刃渡り部１２、２２で人差し指と中指で挟み持った髪の毛をはさみで切ればよい。
【００１２】
従って、従来のように別体のはさみと櫛を右手で一緒に持ったり、櫛を右手と左手に頻繁に持ち替えたり、右手で櫛の位置を頻繁に移し替えたりする必要がなくなるので、櫛を床に落としたり、櫛を交換したりする必要がなくなる。
【００１３】
なお、図１、図２の実施形態では櫛４０を一体的に構成しているが、図３に示すように、別体の櫛４０をはさみ構成体２０の背部２３に接着、溶接、スポット溶接などの手段で固定してもよい。
また、櫛４０およびはさみ構成体２０に穴（図示せず）を設けて図７に示すようにネジ４５あるいはピン、ボルトとナットなどの手段、あるいはカシメ加工などの手段で固定してもよい。
また、櫛４０とはさみ構成体２０のいずれか一方を磁石で作成して、磁性力で櫛４０をはさみ構成体２０の背部２３に取り付けるようにしてもよい。
また、櫛４０をはさみ構成体２０の背部２３に粘着テープで取り付けるようにしてもよい。
【００１４】
なお、図７、図８に示すように、はさみ構成体２０の背部２３に平らな面２７を設ければ、これらの手段での背部２３への櫛４０の固定、取付けが容易となる。
【００１５】
また、図４に示すように、はさみ構成体２０の刃渡り部２２の背部２３に沿って直線状の長溝（櫛着脱部）２４を設け、別体の櫛４０に直線状の突条４１を設け、この突条４１をはさみ構成体２０の先端側から前記長溝２４に挿入する着脱自在の構成にしてもよい。
【００１６】
また、図５に示すように、はさみ構成体２０の刃渡り部２２の背部２３の端面に沿って直線状の長溝（櫛着脱部）２５を設け、別体の櫛４０の背部の端面に直線状の突条４２を設け、この突条４２をはさみ構成体２０の先端側から長溝２５に挿入する着脱自在の構成にしてもよい。
【００１７】
また、図６に示すように、はさみ構成体２０の背部２３の端面に沿って直線状の突条（櫛着脱部）２６を設け、別体の櫛４０の背部の端面に直線状の長溝４３を設け、この長溝４３を突条２６に挿入する着脱自在の構成にしてもよい。
また、図８に示すように、はさみ構成体２０の背部２３に複数の嵌合穴５０を設け、櫛４０にこれに対応する嵌合突起５１を設けて、嵌合穴５０に嵌合突起５１を嵌合してもよい。なお、この関係を逆にしてもよい。
【００１８】
以上、本発明の実施形態を説明したが、本発明の構成は前記実施形態の構成にのみ限定されるものではなく、本発明の要旨を逸脱しない範囲で種々の変形が可能なことは勿論であり、例えば、はさみは図１の形状に限らず、すきばさみ等でもよく、また、大きさも大小種々のものに適用できる。また、理容店に限らず、美容室あるいは一般家庭などにおいても使用できることは勿論である。
【００１９】
【発明の効果】
以上のように本発明の指間刈り用髪切りばさみでは、回動自在に連結された一対のはさみ構成体のうちの一方の前記はさみ構成体の刃渡り部の背部に、櫛が設けられている。
【００２０】
このため、片手ではさみを持ち、一方のはさみ構成体の背部に設けられた櫛で髪の毛をすくい、この櫛ですくった髪の毛を反対の人差し指と中指で櫛の下側で挟むように持ち、この髪の毛から櫛をはずしてはさみで人差し指と中指で挟み持った髪の毛をはさみで切ればよい。従って、従来のように別体のはさみと櫛を片手で一緒に持ったり、櫛を右手と左手に頻繁に持ち替えたり、片手で櫛の位置を頻繁に移し替えたりする必要がなくなるので、櫛を床に落としたり、櫛を交換したりする必要がなくなる。
なお、はさみと櫛とを別体とし、はさみの前記はさみ構成体の刃渡り部の背部に、櫛着脱部が設けて、別体の櫛を着脱できるようにしてもよい。
【図面の簡単な説明】
【図１】本発明の一実施形態を示す平面図
【図２】同実施形態の要部の断面図
【図３】本発明の他の実施形態の要部を示す断面図
【図４】本発明の他の実施形態の要部を示す断面図
【図５】本発明の他の実施形態の要部を示す断面図
【図６】本発明の他の実施形態の要部を示す断面図
【図７】本発明の他の実施形態の要部を示す平面図
【図８】本発明の他の実施形態の要部を示す断面図
【符号の説明】
１　指間刈り用髪切りばさみ
１０、２０　はさみ構成体
１２、２２　刃渡り部
３０　連結軸
４０　櫛
【図１】
2004073817.tif 000003
【図２】
2004073817.tif 000004
【図３】
2004073817.tif 000005
【図４】
2004073817.tif 000006
【図５】
2004073817.tif 000007
【図６】
2004073817.tif 000008
【図７】
2004073817.tif 000009
【図８】
2004073817.tif 000010